(57)【要約】【課題】消費電力を低減することが可能な撮像装置を提供する。【解決手段】撮像装置は、被写体像を受光する撮像素子５と、読出制御手段とを備える。読出制御手段は、所定の撮影モードにおいて、撮像素子５の全体領域ＲＥのうち合焦確認用領域ＲＧを含む一部領域ＲＢに関する時系列の画像を撮像素子５から順次に読み出す。【選択図】図９
2009267893.tif 000002
【特許請求の範囲】
【請求項１】
被写体像を受光する撮像素子と、
所定の撮影モードにおいて、前記撮像素子の全体領域のうち合焦確認用領域を含む一部領域に関する時系列の画像を前記撮像素子から順次に読み出す読出制御手段と、
を備える撮像装置。
【請求項２】
請求項１に記載の撮像装置において、
前記撮像素子により取得された画像に基づいて被写体像を表示する表示手段、
をさらに備え、
前記表示手段は、前記被写体像の全体のうち前記合焦確認用領域に対応する部分を更新表示する、撮像装置。
【請求項３】
請求項２に記載の撮像装置において、
前記表示手段は、所定の期間において、所定のタイミングで取得された前記被写体像の全体画像を更新することなく表示するとともに、前記被写体像の全体のうち前記合焦確認用領域に対応する部分を更新表示する、撮像装置。
【請求項４】
請求項２に記載の撮像装置において、
前記合焦確認用領域に関する変更指示を付与する操作手段、
をさらに備え、
前記操作手段により前記変更指示が付与された直後の一定期間において、
前記読出制御手段は、前記一部領域に関する画像を前記撮像素子から順次に読み出し、
前記表示手段は、前記撮像素子から順次に読み出された前記一部領域に関する画像に基づいて、前記被写体像の全体画像のうち前記合焦確認用領域に対応する部分を更新表示する、撮像装置。
【請求項５】
請求項４に記載の撮像装置において、
前記一定期間の経過後には、
前記読出制御手段は、前記一部領域に関する画像の読み出しを停止し、
前記表示手段は、前記合焦確認用領域に対応する部分を更新表示しない、撮像装置。
【請求項６】
請求項２に記載の撮像装置において、
前記合焦確認用領域に関する変更指示を付与する操作手段、
をさらに備え、
前記操作手段により前記変更指示が付与された後の所定期間にわたって前記操作手段による操作が行われない場合には、
前記読出制御手段は、前記一部領域に関する画像の読み出しを停止し、
前記表示手段は、前記合焦確認用領域に対応する部分を更新表示しない、撮像装置。
【請求項７】
請求項２に記載の撮像装置において、
前記合焦確認用領域に関する変更指示を付与する操作手段、
をさらに備え、
前記操作手段による前記変更指示の付与操作が連続的に実行されている所定の期間においては、
前記読出制御手段は、前記一部領域に関する画像の読み出しを停止するとともに、
前記表示手段は、前記合焦確認用領域に対応する部分を更新表示しない、撮像装置。
【請求項８】
請求項４ないし請求項７のいずれかに記載の撮像装置において、
前記変更指示は位置変更指示である、撮像装置。
【請求項９】
請求項２に記載の撮像装置において、
前記合焦確認用領域に関する拡大表示指示を付与する拡大指示手段、
をさらに備え、
前記拡大表示指示が付与された後においては、
前記読出制御手段は、前記一部領域の画像を順次に読み出すとともに、
前記表示手段は、前記合焦確認用領域の画像を拡大して更新表示する、撮像装置。
【請求項１０】
請求項９に記載の撮像装置において、
前記拡大表示指示が付与される前においては、
前記読出制御手段は、前記一部領域に関する画像の読み出しを停止するとともに、
前記表示手段は、所定のタイミングで取得された前記被写体像の全体画像を更新することなく表示する、撮像装置。
【請求項１１】
請求項１ないし請求項１０のいずれかに記載の撮像装置において、
前記撮像素子によって順次に取得された前記一部領域に関する画像に基づいて合焦用評価値を算出し、当該合焦用評価値に基づいて合焦動作を制御する合焦制御手段、
をさらに備える撮像装置。
【請求項１２】
請求項１１に記載の撮像装置において、
前記読出制御手段は、前記撮像素子の全体領域に関する時系列の各画像を第１の間引き率で前記撮像素子から読み出すことが可能であり、
前記合焦制御手段は、前記所定の撮影モードにおいて、前記第１の間引き率よりも低い第２の間引き率で取得した前記一部領域に関する時系列の各画像を用いて前記合焦動作を制御する、撮像装置。
【請求項１３】
請求項１１に記載の撮像装置において、
前記読出制御手段は、
前記撮像素子の全体領域に関する時系列の各画像を第１の間引き率によって所定のフレームレートで前記撮像素子から読み出すことが可能であり、
前記所定の撮影モードにおいては、前記一部領域に関する時系列の各画像を、前記第１の間引き率よりも低い第２の間引き率によって前記所定のフレームレートで前記撮像素子から読み出し、
前記合焦制御手段は、前記所定の撮影モードにおいて、前記第２の間引き率によって取得した前記一部領域に関する時系列の各画像を用いて前記合焦動作を制御する、撮像装置。
【請求項１４】
請求項１１に記載の撮像装置において、
前記読出制御手段は、前記撮像素子の全体領域に関する時系列の画像を第１のフレームレートで前記撮像素子から読み出すことが可能であり、
前記合焦制御手段は、前記所定の撮影モードにおいて、第１のフレームレートよりも高速な第２のフレームレートで取得した前記一部領域に関する時系列の画像を用いて前記合焦動作を制御する、撮像装置。
【請求項１５】
請求項１１に記載の撮像装置において、
前記読出制御手段は、
前記撮像素子の全体領域に関する時系列の各画像を所定の間引き率によって第１のフレームレートで前記撮像素子から読み出すことが可能であり、
前記所定の撮影モードにおいては、前記一部領域に関する時系列の各画像を、前記所定の間引き率によって、第１のフレームレートよりも高速な第２のフレームレートで前記撮像素子から読み出し、
前記合焦制御手段は、前記所定の撮影モードにおいて、前記第２のフレームレートで取得した前記一部領域に関する時系列の画像を用いて前記合焦動作を制御する、撮像装置。
【請求項１６】
請求項１ないし請求項１５のいずれかに記載の撮像装置において、
前記所定の撮影モードは、三脚固定撮影モードおよびマクロ撮影モードの少なくとも１つを含む、撮像装置。
【発明の詳細な説明】
【技術分野】
【０００１】
本発明は、デジタルカメラなどの撮像装置に関する。
【背景技術】
【０００２】
一般的な一眼レフレックスタイプのデジタルカメラにおいては、光学ファインダを用いて構図決めが行われる。
【０００３】
一方、近年、一眼レフレックスタイプのデジタルカメラにおいても、撮像素子で取得された画像を動画的態様で背面モニタ等に表示し、当該画像を見ながら構図決めを行うものが提案されている（例えば特許文献１）。
【０００４】
【特許文献１】特開２００２−３６９０４２号公報
【発明の開示】
【発明が解決しようとする課題】
【０００５】
しかしながら、上述の従来技術においては、ライブビュー表示時には比較的長い時間にわたって撮像素子からのデータ読み出し処理が実行されるため、消費電力が比較的大きくなる。特に、一眼レフレックスタイプのデジタルカメラにおいては、大型の撮像素子が使用されていることが多く、消費電力が非常に大きくなる。撮像装置における消費電力の増大は、バッテリー充電頻度の増大等につながり、好ましくない。
【０００６】
そこで、この発明の課題は、消費電力を低減することが可能な撮像装置を提供することにある。
【課題を解決するための手段】
【０００７】
本発明に係る撮像装置は、被写体像を受光する撮像素子と、所定の撮影モードにおいて、前記撮像素子の全体領域のうち合焦確認用領域を含む一部領域に関する時系列の画像を前記撮像素子から順次に読み出す読出制御手段とを備える。
【発明の効果】
【０００８】
本発明によれば、消費電力を低減することが可能である。
【発明を実施するための最良の形態】
【０００９】
以下、本発明の実施形態を図面に基づいて説明する。
【００１０】
＜１．構成概要＞
図１および図２は、本発明の実施形態に係る撮像装置１の外観構成を示す図である。ここで、図１は、撮像装置１の正面外観図であり、図２は、撮像装置１の背面外観図である。この撮像装置１は、レンズ交換式一眼レフレックスタイプのデジタルカメラとして構成されている。
【００１１】
図１に示すように、撮像装置１は、カメラ本体部（カメラボディ）２を備えている。このカメラ本体部２に対して、交換式の撮影レンズユニット（交換レンズ）３が着脱可能である。
【００１２】
撮影レンズユニット３は、主として、鏡胴３６ならびに鏡胴３６の内部に設けられるレンズ群３７（図３参照）及び絞り等によって構成される。レンズ群３７（撮影光学系）には、光軸方向に移動することによって焦点位置を変更するフォーカスレンズ等が含まれている。
【００１３】
カメラ本体部２は、撮影レンズユニット３が装着される円環状のマウント部Ｍｔを正面略中央に備え、撮影レンズユニット３を着脱するための着脱ボタン８９を円環状のマウント部Ｍｔ付近に備えている。
【００１４】
また、カメラ本体部２は、その正面右上部にモード設定ダイヤル８２を備えている。モード設定ダイヤル８２を操作することによれば、カメラの各種モード（本撮影画像を撮影する「撮影モード」、撮影した画像を再生する「再生モード」、および外部機器との間でデータ交信を行う「通信モード」等を含む）の設定動作（切替動作）を行うことが可能である。「撮影モード」としては、例えば、人物撮影モード、風景撮影モード、マクロ撮影モード、三脚固定撮影モード、およびフルオート撮影モード等が設けられる。
【００１５】
また、カメラ本体部２は、正面左端部に撮影者が把持するためのグリップ部１４を備えている。グリップ部１４の上面には露光開始を指示するためのレリーズボタン１１が設けられている。グリップ部１４の内部には電池収納室とカード収納室とが設けられている。電池収納室にはカメラの電源として、例えばリチウムイオン電池などの電池が収納されており、カード収納室には撮影画像の画像データを記録するためのメモリカード９０（図３参照）が着脱可能に収納されるようになっている。
【００１６】
レリーズボタン１１は、半押し状態（Ｓ１状態）と全押し状態（Ｓ２状態）の２つの状態を検出可能な２段階検出ボタンである。レリーズボタン１１が半押しされＳ１状態になると、被写体に関する記録用静止画像（本撮影画像）を取得するための準備動作（例えば、ＡＦ制御動作等）が行われる。また、レリーズボタン１１がさらに押し込まれてＳ２状態になると、当該本撮影画像の撮影動作が行われる。詳細には、撮像素子５（後述）を用いて被写体像（被写体の光像）に関する露光動作が行われ、その露光動作によって得られた画像信号に所定の画像処理を施す一連の動作が実行される。このように、撮像装置１は、レリーズボタン１１が半押し状態Ｓ１にされると撮影準備指令が付与されたものとみなし、レリーズボタン１１が全押し状態Ｓ２にされると撮影指令が付与されたものとみなす。
【００１７】
図２において、カメラ本体部２の背面略中央上部には、ファインダ窓（接眼窓）１０が設けられている。撮影者は、ファインダ窓１０を覗くことによって、撮影レンズユニット３から導かれた被写体の光像を視認して構図決定を行うことができる。すなわち、光学ファインダを用いて構図決めを行うことが可能である。
【００１８】
図２において、カメラ本体部２の背面の略中央には、背面モニタ１２が設けられている。背面モニタ１２は、例えばカラー液晶ディスプレイ（ＬＣＤ）として構成される。
【００１９】
背面モニタ１２は、撮影条件等を設定するためのメニュー画面を表示すること、および再生モードにおいてメモリカード９０に記録された撮影画像を再生表示することなどが可能である。
【００２０】
また、背面モニタ１２は、撮像素子５（後述）によって取得された時系列の複数の画像（すなわち動画像）をライブビュー画像として表示することも可能である。この実施形態に係る撮像装置１においては、マクロ撮影モード時および三脚固定撮影モード時などにおいて、背面モニタ１２（後述）に表示されるライブビュー画像を用いて構図決めを行うことが可能である。
【００２１】
背面モニタ１２の左上部には電源スイッチ（メインスイッチ）８１が設けられている。電源スイッチ８１は２点スライドスイッチからなり、接点を左方の「ＯＦＦ」位置に設定すると、電源がオフになり、接点の右方の「ＯＮ」位置に設定すると、電源がオンになる。
【００２２】
背面モニタ１２の右側には方向選択キー８４が設けられている。この方向選択キー８４は円形の操作ボタンを有し、この操作ボタンにおける上下左右の４方向の押圧操作と、右上、左上、右下及び左下の４方向の押圧操作とが、それぞれ検出されるようになっている。なお、方向選択キー８４は、上記８方向の押圧操作とは別に、中央部のプッシュボタンの押圧操作も検出されるようになっている。また、この方向選択キー８４は、後述するように、合焦確認用領域ＲＧ（後述）の位置変更指示を付与する操作部材としても機能する。
【００２３】
また、背面モニタ１２の右側且つ方向選択キー８４の上側には、拡大ボタン８８および縮小ボタン８７が設けられている。拡大ボタン８８および縮小ボタン８７は、後述するように、背面モニタ１２の表示対象領域を変更する切換操作等に用いられる。特に、拡大ボタン８８は、合焦確認用領域ＲＧ（後述）に関する拡大表示指示を付与する操作部材としても機能する。また、縮小ボタン８７は、拡大表示を解消して通常表示に復帰する指示を付与する操作部材としても機能する。
【００２４】
背面モニタ１２の左側には、メニュー画面の設定、画像の削除などを行うための複数のボタンからなる設定ボタン群８３が設けられている。
【００２５】
＜２．機能ブロック＞
つぎに、図３を参照しながら、撮像装置１の機能の概要について説明する。図３は、撮像装置１の機能構成を示すブロック図である。
【００２６】
図３に示すように、撮像装置１は、ＡＦモジュール２０、操作部８０、全体制御部１０１、フォーカス駆動制御部１２１、ミラー駆動制御部１２２、シャッタ駆動制御部１２３、およびデジタル信号処理回路５３等を備える。
【００２７】
操作部８０は、レリーズボタン１１（図１参照）を含む各種ボタンおよびスイッチ等を備えて構成される。操作部８０に対するユーザーの入力操作に応答して、全体制御部１０１が各種動作を実現する。
【００２８】
全体制御部１０１は、ＡＦモジュール２０およびフォーカス駆動制御部１２１等と協動して、フォーカスレンズの位置を制御する合焦制御動作を行う。
【００２９】
ＡＦモジュール２０は、ミラー機構６を介して進入してきた光を用いて、位相差方式の合焦状態検出手法により被写体の合焦状態を検出することが可能である。全体制御部１０１は、ＡＦモジュール２０によって検出される被写体の合焦状態に応じて、フォーカス駆動制御部１２１を用いてＡＦ動作を実現する。特に、位相差方式のＡＦモジュール２０を用いることによれば、非常に高速に合焦レンズ位置を求めることができる。
【００３０】
また、この撮像装置１においては、いわゆる山登り方式の合焦制御動作も実行可能である。具体的には、後述するように、撮像素子５により取得された時系列の画像に基づいて算出されたコントラスト値などの合焦用評価値（ＡＦ評価値）を用いて、フォーカスレンズの光軸方向における合焦位置（合焦レンズ位置）が検出される。この撮像装置１においては、この山登り方式の合焦制御動作は、マクロ撮影モードおよび三脚固定撮影モードにおいて利用される。なお、他の撮影モードにおいては、比較的高速な位相差方式の合焦制御動作が利用される。
【００３１】
全体制御部１０１は、マイクロコンピュータとして構成され、主にＣＰＵ、メモリ、及びＲＯＭ（例えばＥＥＰＲＯＭ）等を備える。全体制御部１０１は、ＲＯＭ内に格納されるプログラムを読み出し、当該プログラムをＣＰＵで実行することによって、各種機能を実現する。
【００３２】
詳細には、全体制御部１０１は、読出制御部１１１、ＡＦ制御部１１３および表示制御部１１７等を有している。
【００３３】
読出制御部１１１は、撮像素子５で光電変換作用により生成された電荷を電気信号として撮像素子５から読み出す動作を制御する。読み出された電気信号は、画像信号として生成される。読出制御部１１１は、マクロ撮影モードまたは三脚固定撮影モードにおいてライブビュー表示が実行される場合には、読出範囲を制限した状態で撮像素子５からの読み出し動作を実行する。具体的には、撮像素子５の全体領域のうち、合焦確認用領域ＲＧを含む一部領域ＲＢに関する時系列の画像を撮像素子５から順次に（微小時間間隔Δｔで）読み出す動作（後述）が実行される。
【００３４】
ＡＦ制御部（合焦制御部）１１３は、合焦用情報を用いて合焦制御を実現する。この合焦用情報としては、位相差方式のＡＦ制御動作時においては、ＡＦモジュール２０によって検出された合焦レンズ位置等が用いられる。また、山登り方式のＡＦ制御動作時においては、撮像素子５において順次に（微小時間間隔で）取得された時系列の画像に基づく合焦評価値（コントラスト値）等が、当該合焦用情報として用いられる。
【００３５】
フォーカス駆動制御部１２１は、全体制御部１０１と協働して合焦制御動作を実現する。具体的には、フォーカス駆動制御部１２１は、全体制御部１０１から入力される信号に基づいて制御信号を生成しモータＭ１を駆動することによって、撮影レンズユニット３のレンズ群３７に含まれるフォーカスレンズを移動する。また、フォーカスレンズの位置は、撮影レンズユニット３のレンズ位置検出部３９によって検出され、フォーカスレンズの位置を示すデータが全体制御部１０１に送られる。このように、フォーカス駆動制御部１２１は、フォーカスレンズの光軸方向の動き等を制御する。
【００３６】
表示制御部１１７は、背面モニタ１２における様々な表示動作を制御する。例えば、表示制御部１１７は、撮像素子５により取得された画像に基づく被写体像を背面モニタ１２に表示する動作を制御する。より詳細には、表示制御部１１７は、ライブビュー機能、すなわち被写体に関する時系列の画像（ライブビュー画像）を順次に表示部に表示する機能に関する動作を制御する。なお、ライブビュー機能は、被写体の画像を動画的態様で表示部に表示する機能であるとも表現される。また各種の表示動作については後に詳述する。
【００３７】
また、ミラー駆動制御部１２２は、ミラー機構６が光路から退避した状態（ミラーアップ状態）とミラー機構６が光路を遮断した状態（ミラーダウン状態）との状態切替を制御する。ミラー駆動制御部１２２は、全体制御部１０１から入力される信号に基づいて制御信号を生成しモータＭ２を駆動することによって、ミラーアップ状態とミラーダウン状態とを切り替える。
【００３８】
シャッタ駆動制御部１２３は、全体制御部１０１から入力される信号に基づいて制御信号を生成しモータＭ３を駆動することによって、シャッタ４の開閉を制御する。
【００３９】
撮像素子（ここではＣＣＤセンサ（単にＣＣＤとも称する））５は、撮影レンズユニット３からの被写体の光像（被写体像）を光電変換作用により電気的信号に変換する受光素子であり、本撮影画像に係る画像信号（記録用の画像信号）を生成して取得する。また、撮像素子５は、ライブビュー用の画像をも取得する。
【００４０】
撮像素子５は、全体制御部１０１からの駆動制御信号（蓄積開始信号および蓄積終了信号）に応答して、受光面に結像された被写体像の露光（光電変換による電荷蓄積）を行い、当該被写体像に係る画像信号を生成する。また、撮像素子５は、全体制御部１０１からの読出制御信号に応答して、当該画像信号を信号処理部５１へ出力する。
【００４１】
撮像素子５で取得された画像信号に対して信号処理部５１により所定のアナログ信号処理が施されると、当該アナログ信号処理後の画像信号はＡ／Ｄ変換回路５２によってデジタル画像データ（画像データ）に変換される。この画像データは、デジタル信号処理回路５３に入力される。
【００４２】
デジタル信号処理回路５３は、Ａ／Ｄ変換回路５２から入力される画像データに対してデジタル信号処理を行い、撮像画像に係る画像データを生成する。デジタル信号処理回路５３は、黒レベル補正回路、ホワイトバランス（ＷＢ）回路、γ補正回路等を備え、各種のデジタル画像処理を施す。なお、デジタル信号処理回路５３によって処理された画像信号（画像データ）は、画像メモリ５５に格納される。画像メモリ５５は、生成された画像データを一時的に記憶するための、高速アクセス可能な画像メモリであり、複数フレーム分の画像データを記憶可能な容量を有する。
【００４３】
本撮影時には、画像メモリ５５に一時記憶される画像データは、全体制御部１０１において適宜画像処理（圧縮処理等）が施された後、メモリカード９０に記憶される。
【００４４】
また、画像メモリ５５に一時記憶される画像は、全体制御部１０１の表示制御部１１７の制御下において背面モニタ１２に表示される。これによって、本撮影に関する確認用画像であるアフタービュー画像を撮影指令に応じて表示する確認表示（アフタービュー表示）、および撮影済みの画像を再生する再生表示等が実現される。
【００４５】
さらに、マクロ撮影モード時等においては、画像メモリ５５に一時記憶される時系列の画像（ライブビュー画像）が、表示制御部１１７の制御下において背面モニタ１２に順次に表示される。これによって、ライブビュー表示が実現される。
【００４６】
＜３．撮影動作の概要＞
上述したように、この撮像装置１においては、ファインダ光学系等で構成される光学ファインダ（光学ビューファインダ（ＯＶＦ）とも称される）を用いて構図決め（フレーミング）を行うことが可能である。ここでは、例えば、人物撮影モード、風景撮影モードなどの撮影モードにおいて、光学ビューファインダを用いたフレーミングが採用される。
【００４７】
また、この撮像装置１においては、背面モニタ１２に表示されるライブビュー画像を用いて構図決めを行うことも可能である。なお、背面モニタ１２を利用して実現されるファインダ機能は、被写体の光像を電子データに変換した後に可視化するものであることから電子ビューファインダ（ＥＶＦ）とも称される。
【００４８】
ここでは、マクロ撮影モードおよび三脚固定撮影モードなどの撮影モードにおいて、電子ビューファインダ（すなわちライブビュー表示）を用いたフレーミングが採用される。
【００４９】
図４および図５は、撮像装置１の断面図である。図４は、ミラーダウン状態を示しており、図５はミラーアップ状態を示している。
【００５０】
図４および図５に示すように、撮影レンズユニット３から撮像素子５に至る光路（撮影光路）上にはミラー機構６が設けられている。ミラー機構６は、撮影光学系からの光を上方に向けて反射する主ミラー６１（主反射面）を有している。この主ミラー６１は、例えばその一部または全部がハーフミラーとして構成され、撮影光学系からの光の一部を透過する。また、ミラー機構６は、主ミラー６１を透過した光を下方に反射させるサブミラー６２（副反射面）をも有している。サブミラー６２で下方に反射された光は、ＡＦモジュール２０へと導かれて入射し、位相差方式のＡＦ動作に利用される。
【００５１】
例えば、人物撮影モードにおいては、レリーズボタン１１が全押し状態Ｓ２にされる前まで（すなわち構図決め時において）、ミラー機構６はミラーダウン状態となるように配置される（図４）。そして、この際には、撮影レンズユニット３からの被写体像は、主ミラー６１で上方に反射され観察用光束としてペンタプリズム６５に入射し、ペンタプリズム６５において更に反射され、接眼レンズ６７およびファインダ窓１０を通過して、撮影者の眼に到達する。この状態において、光学ビューファインダ（ＯＶＦ）を用いた構図決め動作が行われる。
【００５２】
その後、レリーズボタン１１が全押し状態Ｓ２にされると、ミラー機構６はミラーアップ状態となるように駆動され、露光動作が開始される（図５参照）。具体的には、図５に示すように、露光時には、ミラー機構６は、撮影光路から待避する。詳細には、撮影光学系からの光（被写体像）を遮らないように主ミラー６１とサブミラー６２とが上方に待避し、撮影レンズユニット３からの光が、主ミラー６１で反射されることなく進行して、シャッタ４の開放期間に合わせて撮像素子５に到達する。撮像素子５は、光電変換によって、受光した光束に基づいて被写体の画像信号を生成する。このように、被写体からの光束（被写体像）が撮影レンズユニット３を通過して撮像素子５に導かれることによって、被写体に係る撮影画像（撮影画像データ）が得られる。
【００５３】
一方、三脚固定撮影モードおよびマクロ撮影モードにおいては、構図決め等において、人物撮影モードでの動作とは異なる動作が実行される。以下では、三脚固定撮影モード時における撮影動作について説明する。なお、マクロ撮影モードにおける撮影動作も同様である。また、三脚固定撮影モードおよびマクロ撮影モードにおいては、主に静止物が主被写体になる。
【００５４】
具体的には、三脚固定撮影モードでの構図決めの際には、レリーズボタン１１が全押し状態Ｓ２にされる前まで（すなわち構図決め時において）、ミラー機構６はミラーアップ状態となるように配置される（図５）。そして、この際には、撮影レンズユニット３からの被写体像は、主ミラー６１で反射されることなくそのまま直進して撮像素子５に入射する。
【００５５】
撮像素子５は、当該撮像素子５に入射した被写体像に基づいて、被写体像に係る時系列の画像（ライブビュー画像）を順次に取得する。具体的には、撮像素子５は、微小時間間隔（例えば、１／６０秒）で複数の画像を順次に生成する。そして、取得された時系列の画像は背面モニタ１２において順次に表示される。これによって、撮影者は、背面モニタ１２に表示される動画像（ライブビュー画像）を視認し、当該動画像を用いて構図決めを行うことが可能になる。このようにしてライブビュー画像を用いた構図決め動作が実行される。
【００５６】
その後、レリーズボタン１１が全押し状態Ｓ２にされると、ミラー機構６は、一旦、ミラーダウン状態（図４）になった後に、再びミラーアップ状態（図５）となるように駆動され、露光動作が開始される。そして、シャッタ４の開放期間に撮像素子５に到達した被写体像に基づいて、撮像素子５における光電変換作用により、被写体の画像信号が生成される。その後、「シャッタスピード」として設定されたシャッタ開放期間（例えば、１／２秒）が経過すると、再びミラーダウン状態（図４）にされる。このようにして、被写体からの光束（被写体像）が撮影レンズユニット３を通過して撮像素子５に導かれることによって、被写体に係る本撮影画像（撮影画像データ）が得られる。更に、その後、再びミラーアップ状態（図５）にされ、ライブビュー表示が再開される。
【００５７】
＜４．三脚固定撮影モードにおけるライブビュー動作＞
つぎに、三脚固定撮影モードにおけるライブビュー動作について更に詳細に説明する。
【００５８】
図６は、ライブビュー画像が表示されている背面モニタ１２を示す図である。図６に示すように、三脚固定撮影モードにおいては、ライブビュー画像が背面モニタ１２に表示される。すなわち、ライブビュー表示が実行されている。
【００５９】
このライブビュー表示においては、全体画像のうちの一部の領域ＦＧが拡大位置指定枠ＦＲで囲まれている。また、後述するように、当該領域ＦＧのみが部分的に更新表示される。
【００６０】
背面モニタ１２内において、当該拡大位置指定枠ＦＲの位置は、方向選択キー８４の操作に応じて移動する。例えば、方向選択キー８４による上方向への移動指示に応じて、拡大位置指定枠ＦＲは上方向に所定量移動する。同様に、方向選択キー８４による他の指定方向への移動指示に応じて、拡大位置指定枠ＦＲは当該指定方向に所定量移動する。このように、方向選択キー８４は、合焦確認用領域ＲＧに関する変更指示（詳細には位置変更指示）を付与する操作部材として機能する。なお、図６は、初期状態において画面中央に表示されていた拡大位置指定枠ＦＲが方向選択キー８４を用いて上方やや右よりの位置に移動された状態を示している。
【００６１】
方向選択キー８４を用いて操作者が拡大位置指定枠ＦＲを所望の位置に移動させた後、操作者が拡大ボタン８８を押下すると、この拡大位置指定枠ＦＲの内部領域ＦＧが背面モニタ１２の全体にわたって拡大されて表示される（図８等参照）。図８は、拡大後の背面モニタ１２の表示状態を示す図であり、図７は、拡大位置指定枠ＦＲの内部領域ＦＧが拡大表示される様子を示す概念図である。図７の上段には拡大前の背面モニタ１２が示されており、図７の下段には拡大後の背面モニタ１２が示されている。図７に示すように、拡大前における部分領域（内部領域）ＦＧに表示されていた画像が、拡大後には背面モニタ１２の全体領域ＦＥに表示される。
【００６２】
この拡大画面を用いれば、拡大前の拡大位置指定枠ＦＲの内部領域ＦＧに対応する画像が背面モニタ１２全体に拡大されて表示されるので、拡大位置指定枠ＦＲ内の部分における被写体の合焦状態をより正確に確認することが可能である。なお、拡大前の拡大位置指定枠ＦＲの内部領域ＦＧは、撮像素子５における領域ＲＧ（後述）（図９参照）に対応する。
【００６３】
その後、操作者が縮小ボタン８７（図８）を押下すると、逆の動作が実行される。すなわち、背面モニタ１２における拡大表示が終了し、背面モニタ１２に拡大前の元の全体画像が表示される（図６）。
【００６４】
このように、拡大ボタン８８または縮小ボタン８７の押下に応じて、背面モニタ１２の表示対象領域が撮像素子５の全体領域ＲＥと撮像素子５の部分領域ＲＧ（拡大位置指定枠ＦＲの内部領域ＦＧに対応する領域）との間で切り換えられる。
【００６５】
図９は、撮像素子５の撮像面を示す図である。撮像素子５は、格子状に配列された複数（ここでは合計約１２００万個）の画素を有している。具体的には、図９に示すように、撮像素子５においては、横方向に４３００個の画素が配列され、且つ、縦方向に２８００個の画素が配列されている。
【００６６】
拡大位置指定枠ＦＲ内の領域ＦＧは、合焦状態の確認に利用される領域であるため「合焦確認用領域」とも称される。また、背面モニタ１２における拡大位置指定枠ＦＲ内の内部領域ＦＧは、撮像素子５における領域ＲＧに対応する。そのため、この領域ＲＧも（撮像素子５における）「合焦確認用領域」であると表現される。なお、ここでは、領域ＲＧは、全体画像の部分領域であり、縦方向および横方向においてそれぞれ全体画像に対して１／５の大きさを有している。領域ＲＧは、例えば、横方向に８６０画素、縦方向に５６０画素を有する領域である。
【００６７】
図１０は、ライブビュー表示動作を示すタイミングチャートである。図１０の最下段には、撮像素子５から読み出される領域の大きさと読出頻度とが概念的に示されている。「比較的大きな矩形」は、全体領域ＲＥが読み出されることを示しており、「比較的小さな矩形」は部分領域ＲＧが読み出されることを示している。また、図１０の中段には、背面モニタ１２の部分領域ＦＧに表示される画像の更新タイミング等が概念的に示されており、図１０の上段には、背面モニタ１２の全体領域ＦＥに表示される画像の更新タイミング等が概念的に示されている。
【００６８】
図１０に示されるように、時刻Ｔ０において三脚固定撮影モードが開始されると、まず、撮像素子５の全体領域ＲＥ（図９参照）から画素が読み出され、全体画像ＰＥが取得される。そして、取得された全体画像ＰＥが背面モニタ１２の画素サイズ（例えば３２０画素×２４０画素）に合わせてリサイズされた後に背面モニタ１２の全体領域ＦＥに表示される。以後、次の更新タイミングＴ１０の直前の時刻Ｔ９までの期間ＴＭ１においては、時刻Ｔ０で取得された全体画像ＰＥが更新されることなく継続して表示される。すなわち、全体画像ＰＥが静止画的態様で表示される。
【００６９】
一方、時刻Ｔ０の直後の時刻Ｔ１から時刻Ｔ９までの期間ＴＭ１においては、撮像素子５の全体領域ＲＥのうち、合焦確認用領域ＲＧを含む一部領域ＲＢ（図９参照）の画像が、撮像素子５から順次に（微小時間間隔Δｔで）読み出される。領域ＲＢは、領域ＲＧを含む帯状の領域である。例えば、図９に示すような帯状の領域ＲＢ１が一部領域ＲＢとして読み出される。この領域ＲＢ１は、横長の帯状領域であり、縦方向において領域ＲＧと同じ５６０画素分の長さを有している。なお、この撮像素子においては、読み出し時の制約（具体的には、ＣＣＤセンサの構造に起因する制約等）が存在するため、領域ＲＧだけでなくその両側の領域をも含む帯状領域を読み出している。また、同様に撮像素子５としてＣＭＯＳセンサを採用する場合において、同様の制約が存在するときには、同様の帯状領域ＲＢを読み出せばよい。あるいは、逆に、そのような制約が存在しないときには、領域ＲＧのみを読み出すようにしてもよい。
【００７０】
そして、取得された領域ＲＧに関する画像ＰＧが順次に取得され、背面モニタ１２内の領域ＦＧのサイズ（例えば６４画素×４８画素）に合わせてリサイズされた後に背面モニタ１２の一部領域ＲＧに順次に表示される。図１０において概念的に示されるように、時刻Ｔ１以降においては、微小時間間隔Δｔ（例えば１／６０秒）で取得された部分領域ＲＧに関する画像ＰＧが、背面モニタ１２内の対応部分領域ＦＧに当該微小時間間隔Δｔで更新表示される。
【００７１】
このようにして、被写体像の全体領域ＦＥのうち、合焦確認用領域ＲＧに対応する部分領域ＦＧのみが部分的に更新表示される（図１３も参照）。逆に言えば、被写体像の全体領域ＦＥのうち、部分領域ＦＧを除く部分は、時刻Ｔ１から時刻Ｔ９までの期間ＴＭ１において更新されない。
【００７２】
また、ここでは、期間ＴＭ１の経過後において全体画像ＰＥが所定のタイミングで更新される場合を例示する。具体的には、所定の更新周期で更新される場合を例示する。ここにおいて、全体画像ＰＥの更新周期は、部分画像ＰＧの更新周期Δｔよりも大きな値に設定される。全体画像ＰＥの更新周期は、例えば、数秒ないし数十秒程度であり、全体画像ＰＥは静止画的態様で表示される。一方、部分画像ＰＧの更新周期は、例えば、１／６０秒程度であり、部分画像ＰＧは動画的態様で表示される。
【００７３】
具体的には、時刻Ｔ０から所定の更新周期（例えば１０秒）が経過した時刻Ｔ１０において、再度、撮像素子５の全体領域ＲＥから画像ＰＥが取得され、背面モニタ１２の全体領域ＦＥに表示される。
【００７４】
その後、再び、部分領域ＲＧのみに関する部分的表示が順次に更新される。これにより、部分領域（合焦確認用領域）ＲＧに関するライブビュー表示が再び実現される。
【００７５】
また、上述したように、拡大ボタン８８が押下されたときには、合焦確認用領域ＲＧの画像ＰＧが、拡大位置指定枠ＦＲの内部領域ＦＧの画像として、背面モニタ１２の全体にわたって拡大されて表示される（図８等参照）。
【００７６】
図１１は、このような拡大表示時の動作を示すタイミングチャートである。図１１では、時刻Ｔ２において図６の表示状態から図８の拡大表示状態へと移行する場合が例示されている。この場合には、時刻Ｔ２以後においても、時刻Ｔ２以前と同様に、撮像素子５の全体領域ＲＥの中から、合焦確認用領域ＲＧを含む一部領域ＲＢの画像が順次に（微小時間間隔Δｔで）読み出され、領域ＲＧに関する画像ＰＧが順次に取得される。ただし、時刻Ｔ２以後においては、画像ＰＧは、背面モニタ１２内の「全体領域ＦＥ」のサイズ（例えば３２０画素×２４０画素）に合わせてリサイズされた後に背面モニタ１２の「全体領域ＦＥ」に順次に（微小時間間隔Δｔで）表示される。
【００７７】
このように拡大表示時には、背面モニタ１２の全体領域ＦＥにおいて、合焦確認用領域ＲＧの画像ＰＧが更新表示される。
【００７８】
以上のような動作によれば、撮像素子５の全体領域ＲＥの中から、合焦確認用領域ＲＧを含む一部領域ＲＢのみの画像が読み出される。すなわち、撮像素子５からの読み出し領域が限定される。したがって、撮像素子５の全体領域ＲＥの画素を読み出す場合に比べて消費電力を低減することができる。例えば、全領域読み出し時に比べて、読み出し水平ライン数が１／５に減少する場合には、消費電力を１／５に低減することが可能である。
【００７９】
なお、上記の動作において、領域ＲＧ内の全画素を読み出すことを要さない。例えば、領域ＲＧ内の全画素のうちの一部の画素（水平ライン）を読み出すことなく、残りの画素（水平ライン）を読み出すようにしてもよい。すなわち、領域ＲＧの画素を「間引き読み出し」するようにしてもよい。
【００８０】
また、上記においては、領域ＲＢとして図９の領域ＲＢ１を例示したが、これに限定されない。例えば、図１２に示すような領域ＲＢ２が一部領域ＲＢとして読み出されるようにしてもよい。領域ＲＢ２は、領域ＲＢ１の上下にそれぞれ所定数（例えば５０本ずつ）の水平ラインが追加された領域である。これによれば、拡大位置指定枠ＦＲが上下方向に移動する際において、移動後の拡大位置指定枠ＦＲ内の内部領域ＦＧ（ＲＧ）に関して「先読み」をすることができる。
【００８１】
ここにおいて、上記の図１０および図１１においては、説明の簡単化のため、撮像素子５から読み出し動作に応じてライブビュー画像が直ちに生成され直ちに背面モニタ１２に表示されるものとして示されている。しかしながら、厳密には、撮像素子５からの読み出し時点と読出信号に基づき画像が生成される時点と背面モニタ１２に表示される時点とでは相互に時間差が存在する。図１２のような領域ＲＢ２を読み出すことによれば、読み出した領域ＲＢ２の中から移動後の領域を直ちに抽出して画像を生成することができるので、移動後の領域に関する画像をより早い時点で生成して表示することが可能になる。
【００８２】
また、上記においては、全体画像ＰＥが所定の周期で更新される場合を例示したが、これに限定されない。例えば、拡大画面（図８）から元の画面（図６）へと復帰するタイミングで、全体画像ＰＥが更新されるようにしてもよい。あるいは、全体画像ＰＥを更新しないようにしてもよい。
【００８３】
＜５．三脚固定撮影モードにおけるＡＦ動作＞
つぎに、三脚固定撮影モードにおけるＡＦ動作について説明する。この三脚固定撮影モードにおいては、ＡＦモジュール２０による位相差方式の合焦動作を行うのではなく、撮像素子５により取得された画像に基づいて合焦動作を行う。具体的には、撮像素子５によって順次に（微小時間間隔Δｔで）取得された「合焦確認用領域」ＲＧの画像に基づいて、いわゆる山登り方式の合焦動作を行う。
【００８４】
「山登りＡＦ」は、複数の画像のそれぞれにおける合焦用評価値（例えばコントラスト値等）を算出し、当該合焦用評価値が極値（または最大値あるいは最小値）を有するときのフォーカスレンズ位置を合焦レンズ位置として求める手法である。この方式では、合焦位置を特定するために、異なるレンズ位置での多数の画像が取得され、これらの画像に基づいて合焦制御が実行される。
【００８５】
ここでは、評価値の算出対象となる画像の画質を向上させることによって、合焦レンズ位置の特定精度を向上する技術、すなわち合焦精度の向上を図る技術を例示する。具体的には、ＡＦ動作において、取得対象の画像領域を撮像素子５内の一部領域に限定することによって、部分領域である合焦確認用領域ＲＧの画像を比較的高精細な画像として所定のフレームレートで取得する場合を例示する。これによれば、合焦速度を低下させることなく、合焦精度の向上を図ることが可能である。
【００８６】
より詳細には、図１４に示すように、この撮像素子５は、１／４間引き（間引き率７５％）の読み出し動作によって撮像素子５の全体領域ＲＥに関する時系列の各画像ＰＥを６０ＦＰＳ（フレーム／秒）のフレームレートＲＴ１で取得する能力を有しているものとする。すなわち、撮像素子５は、水平ライン７００本（＝２８００本／４）の画像ＰＥをフレームレートＲＴ１で得ることが可能である。
【００８７】
これに対して、三脚固定撮影モードのＡＦ動作では、「間引き率０（ゼロ）％」の読み出し動作によって、撮像素子５の部分領域ＲＧ（縦方向において全体領域ＦＥの１／５）に関する時系列の各画像（水平ライン５６０本）を同じフレームレートＲＴ１で取得する。
【００８８】
このように合焦確認用領域ＲＧに関しては、１／４間引き（間引き率７５％）の場合には１４０本の水平ラインしか得られないのに対して、間引き率ゼロの場合には５６０本の水平ラインを得ることが可能である。
【００８９】
したがって、このような動作によれば、所定のフレームレートＲＴ１の制限下において比較的高精細な画像ＰＧを取得することが可能になる。さらに、このような高精細な画像ＰＧを用いて合焦制御動作を行うことによれば、合焦速度を低下させることなく、合焦精度を向上させることが可能である。
【００９０】
なお、ここでは、間引き率をゼロ％に設定したが、これに限定されず、間引き率を７５％よりも低い別の値（例えば５０％）に設定してもよい。これによっても、合焦確認用領域ＲＧに関して、１／４間引き（間引き率７５％）のときに得られる１４０本の水平ラインよりも多くの水平ライン（例えば２８０本）を得ることが可能である。したがって、合焦精度を向上させることが可能である。
【００９１】
また、部分領域ＲＧの間引き後の水平ライン数は、所定のフレームレートＲＴ１によって取得され得る水平ライン数の限界値（例えば７００本）を超えないように設定されることが好ましい。
【００９２】
＜６．その他＞
以上、この発明の実施の形態について説明したが、この発明は上記説明した内容のものに限定されるものではない。
【００９３】
たとえば、上記実施形態においては、三脚固定撮影モードが開始された時点以降において、常に、合焦確認用領域ＲＧの画像ＰＧが読み出され、当該画像ＰＧが更新表示される場合を例示したが、これに限定されない。
【００９４】
具体的には、図１５に示すように、方向選択キー８４（図２）を用いて拡大位置指定枠ＦＲの位置変更指示が付与された時点Ｔ３の直後の一定期間（例えば時刻Ｔ３〜時刻Ｔ４の期間ＴＭ３）において、合焦確認用領域ＲＧの画像を撮像素子５から順次に読み出すようにしてもよい。さらに、当該所定期間ＴＭ３において順次に読み出された画像に基づいて、全体領域ＦＥのうち合焦確認用領域ＲＧに対応する部分ＦＧ（図６）を更新表示するようにしてもよい。これによれば、位置変更指示が付与された後の所定の期間ＴＭ３において、操作者が合焦確認用領域ＲＧの様子を背面モニタ１２で確認することが可能である。また、当該期間ＴＭ３の経過後においては、撮像素子５からの画像読み出し動作（合焦確認用領域ＲＧの画像の読み出し動作を含む）を停止し、且つ、合焦確認用領域ＲＧに対応する部分の表示を更新しないようにしてもよい。上記の期間ＴＭ３においては操作者による確認要求確率が特に高く、その一方で当該期間ＴＭ３の経過後には当該確認要求確率は低下する。このような事情を考慮して、効率的に合焦確認用領域ＲＧの読み出し等を行うことが可能である。
【００９５】
あるいは、図１６に示すように、方向選択キー８４により位置変更指示が最後に付与された時点Ｔ６以後の所定期間ＴＭ６（例えば数秒程度）にわたって新たな位置変更指示が行われない場合には、撮像素子５からの読み出し動作を停止するようにしてもよい。この場合、合焦確認用領域ＲＧに対応する部分ＦＧの表示も更新しないようにすればよい。これによれば、位置変更指示が最後に付与されてから所定期間ＴＭ６が経過した後においては、撮像素子５からの読み出しが行われないので、消費電力をさらに抑制することができる。特に、この期間ＴＭ６の経過後においては操作者による確認要求確率は低いため、操作性に大きな影響を与えずに消費電力を抑制することができる。
【００９６】
あるいは、図１７に示すように、撮像装置１は、方向選択キー８４による位置変更操作中（時刻Ｔ５〜時刻Ｔ６の期間ＴＭ５）には、撮像素子５からの画像読み出し動作を行わないようにしてもよい。ここにおいて、「位置変更操作中」とは、方向選択キー８４の押下状態が継続している状況と、方向選択キー８４が連続的に押下されている（換言すれば、一連の操作において繰り返し押下される）状況との双方を少なくとも意味する。また、「位置変更操作中」は、方向選択キー８４による位置変更指示の付与操作が連続的に実行されている期間であるとも表現される。
【００９７】
より詳細には、この位置変更操作中においては、撮像装置１は、撮像素子５からの読み出し動作を停止するとともに背面モニタ１２における表示を更新しない。その一方で、拡大位置指定枠ＦＲの表示位置を方向選択キー８４の操作に応じて移動させるとともに、拡大位置指定枠ＦＲ（すなわち合焦確認用領域ＲＧ）の位置情報を更新して記憶しておく。そして、当該操作終了直後（例えば方向選択キー８４から手が離れた後）に、変更後（更新後）の位置情報に基づいて、変更後の位置における合焦確認用領域ＲＧ（画像ＰＧ）の読み出しを再開する。
【００９８】
このような動作は、位置変更操作に比較的長い時間を要する場合、詳細には、方向選択キー８４によって拡大位置指定枠ＦＲを移動させるために、例えば１秒から数秒程度にわたって方向選択キー８４を押下し続ける場合、などに特に有用である。このような場合には、操作者は移動終了後の拡大位置指定枠ＦＲ内の様子を確認したいが、移動中（移動終了前）の拡大位置指定枠ＦＲ内の様子を確認しなくてもよいことが多い。したがって、拡大位置指定枠ＦＲの移動操作中における撮像素子５の全領域又は一部領域の読み出し動作を停止することによって、さらに消費電力を低減することができる。
【００９９】
あるいは、合焦確認用領域ＲＧの画像ＰＧを拡大表示（図８）する期間にのみ、撮像素子５における合焦確認用領域ＲＧの読み出し動作を実行して、拡大表示による合焦確認用領域ＲＧのライブビュー表示を行うようにしてもよい。具体的には、図１８に示すように、拡大指示の付与後（詳細には、拡大ボタン８８の押下時点Ｔ２１から縮小ボタン８７の押下時点Ｔ２２まで）においては、撮像素子５における合焦確認用領域ＲＧに関する時系列の画像を順次に読み出す。そして、取得した時系列の当該画像を背面モニタ１２の全体に拡大して順次に表示することによって、合焦確認用領域ＲＧのライブビュー表示を行う。一方、合焦確認用領域ＲＧの画像ＰＧを通常表示（図６）する期間（非拡大表示期間）には、撮像素子５からの画像読み出し動作を停止し、以前の時刻Ｔ０に取得した全体画像ＰＥを（更新することなく）静止画的態様で背面モニタ１２に表示する。また、非拡大表示期間においては、拡大位置指定枠ＦＲの表示位置を方向選択キー８４の操作に応じて移動させる。以上のような動作は、全体画像ＰＥの表示時には合焦確認用領域ＲＧ（拡大位置指定枠ＦＲ）の位置のみが確認できればよく、拡大ボタン８８の押下に応じて背面モニタ１２に部分拡大ライブビューが表示されれば十分である場合に、特に有用である。このような場合、非拡大表示時（図６）に、撮像素子５からの読み出しを中止することによって、さらに消費電力を低減することができる。
【０１００】
さらには、図１０、図１１、図１５〜図１８等に示される上記の各種動作は、適宜に組み合わせて実行されてもよい。
【０１０１】
また、上記各実施形態および変形例においては、方向選択キー８４を用いて拡大位置指定枠ＦＲ（および合焦確認用領域ＲＧ）の位置変更指示を付与する場合を例示したが、これに限定されない。例えば、方向選択キー８４等を用いて、拡大位置指定枠ＦＲ（および合焦確認用領域ＲＧ）の大きさを変更する指示（大きさ変更指示）を付与するようにしてもよい。
【０１０２】
また、上記実施形態においては、ＡＦ動作において、取得対象の画像領域を撮像素子５内の一部領域に限定することによって、部分領域である合焦確認用領域ＲＧの画像を比較的高精細な画像として所定のフレームレートで取得する場合（図１４）を例示した。しかしながら、本発明はこれに限定されない。例えば、取得対象の画像領域を撮像素子５内の一部領域に限定することによって、フレームレートを向上させるようにしてもよい。評価値の算出対象となる画像のフレームレートを大きくすることによれば、合焦レンズ位置の特定時間を短縮すること、すなわち合焦速度の向上を図ることが可能である。
【０１０３】
なお、フレームレートを大きくするために、単に間引き率を大きくして全体領域ＲＥの画像を取得する技術を採用すると、取得される画像が粗くなり合焦精度が低下してしまう。
【０１０４】
この変形例に係る技術においては、取得対象の画像領域を撮像素子５内の一部領域に限定することによって、フレームレートを向上させる。具体的には、部分領域である合焦確認用領域ＲＧの画像を比較的高速なフレームレートで取得し、当該合焦確認用領域ＲＧの画像を用いて合焦動作を制御する。
【０１０５】
例えば、図１９に示すように、上記実施形態と同様に、撮像素子５は、１／４間引きの読み出し動作によって撮像素子５の全体領域ＲＥに関する時系列の各画像を６０ＦＰＳ（フレーム／秒）のフレームレートＲＴ１で取得する能力を有しているものとする。すなわち、撮像素子５は、水平ライン７００本（＝２８００本／４）の画像ＰＥをフレームレートＲＴ１で得ることが可能である。
【０１０６】
これに対して、この変形例においては、三脚固定撮影モードにおけるＡＦ動作では、１／４間引きの読み出し動作によって撮像素子５の部分領域ＲＧに関する時系列の各画像（水平ライン１４０本（＝５６０本／４））を比較的高速なフレームレートＲＴ２で取得する。具体的には、部分領域ＲＧに関する各画像（縦方向において全体領域ＦＥの１／５の大きさを有する）は、フレームレートＲＴ１の５倍のフレームレート、すなわち３００ＦＰＳ（フレーム／秒）のフレームレートＲＴ２で取得される。
【０１０７】
このような動作によれば、所要枚数の画像を取得する時間が短縮されるため、合焦速度が向上する。一方、間引き率は、ともに１／４で変更されていない。すなわち、画質の劣化を抑制した画像を取得することが可能である。したがって、画質の劣化に伴う合焦性能の低下を抑制することも可能である。
【０１０８】
また、上記実施形態等においては、レリーズボタン１１が半押しされＳ１状態になるとＡＦ制御動作等が行われる場合を例示したが、これに限定されない。例えば、撮影モードにおいては、常にＡＦ制御動作が実行されるようにしてもよい。
【図面の簡単な説明】
【０１０９】
【図１】撮像装置の正面外観図である。
【図２】撮像装置の背面外観図である。
【図３】撮像装置の機能構成を示すブロック図である。
【図４】ミラーダウン状態を示す図である。
【図５】ミラーアップ状態を示す図である。
【図６】ライブビュー画像が部分的に表示されている背面モニタを示す図である。
【図７】拡大位置指定枠の内部領域が拡大表示される様子を示す概念図である。
【図８】ライブビュー画像が全体的に表示されている背面モニタを示す図である。
【図９】撮像素子の撮像面における読出範囲を示す図である。
【図１０】拡大前のライブビュー表示動作を示すタイミングチャートである。
【図１１】拡大表示時のライブビュー表示動作を示すタイミングチャートである。
【図１２】別の読出範囲を示す図である。
【図１３】拡大前のライブビュー表示における、更新部分と非更新部分とを示す図である。
【図１４】合焦確認用領域に関して高精細な画像が生成される様子を説明する図である。
【図１５】変形例に係るタイミングチャートである。
【図１６】別の変形例に係るタイミングチャートである。
【図１７】さらに別の変形例に係るタイミングチャートである。
【図１８】更なる変形例に係るタイミングチャートである。
【図１９】合焦確認用領域に関する高速読み出しを説明する図である。
【符号の説明】
【０１１０】
１  撮像装置
５  撮像素子
１２  背面モニタ
８４  方向選択キー
８７  縮小ボタン
８８  拡大ボタン
ＦＥ  （背面モニタ１２における）全体領域
ＦＧ  （背面モニタ１２における）部分領域
ＦＲ  拡大位置指定枠
ＰＥ  全体画像
ＰＧ  部分画像
ＲＢ，ＲＢ１，ＲＢ２  一部領域（帯状領域）
ＲＥ  （撮像素子５における）全体領域
ＲＧ  （撮像素子５における）一部領域（合焦確認用領域）
【図１】
2009267893.tif 000003
【図２】
2009267893.tif 000004
【図３】
2009267893.tif 000005
【図４】
2009267893.tif 000006
【図５】
2009267893.tif 000007
【図６】
2009267893.tif 000008
【図７】
2009267893.tif 000009
【図８】
2009267893.tif 000010
【図９】
2009267893.tif 000011
【図１０】
2009267893.tif 000012
【図１１】
2009267893.tif 000013
【図１２】
2009267893.tif 000014
【図１３】
2009267893.tif 000015
【図１４】
2009267893.tif 000016
【図１５】
2009267893.tif 000017
【図１６】
2009267893.tif 000018
【図１７】
2009267893.tif 000019
【図１８】
2009267893.tif 000020
【図１９】
2009267893.tif 000021